(57)【要約】【課題】マルチディスプレイにおいて一部の表示装置を新しい表示装置に交換する場合に、新たな表示装置の表示特性の調整を容易に可能にするディスプレイ制御装置を提供する。【解決手段】ディスプレイ制御装置（１０）は、表示装置（２１ａ、・・・）から、当該表示装置の表示特性を調整するための映像調整データを受信する通信回路（３１）と、複数の表示装置の中の一の表示装置を新しい表示装置に交換する際に、一の表示装置の周辺に配置されている表示装置内に保存された映像調整データに基づき、映像調整データの推定値を求める演算回路（２８）と、映像調整データの推定値と、新しい表示装置の出荷時の映像調整データとを比較する比較回路（２９）と、比較結果に基づき新しい表示装置の表示特性の設定を行う制御回路（３０）と、を備える。【選択図】図１
2018036451.tif 000002
【特許請求の範囲】
【請求項１】
複数の表示装置で構成されるマルチディスプレイの表示特性を調整する装置であって、
前記表示装置から、当該表示装置内に保存されている表示装置の表示特性を調整するための映像調整データを受信する通信回路と、
前記複数の表示装置の中の一の表示装置を新しい表示装置に交換する際に、前記一の表示装置の周辺に配置されている表示装置内に保存された映像調整データに基づき、映像調整データの推定値を求める演算回路と、
前記演算回路により求められた映像調整データの推定値と、前記新しい表示装置の出荷時の映像調整データとを比較する比較回路と、
前記比較結果に基づき前記新しい表示装置の表示特性の設定を行う制御回路と、
を備えた、
ディスプレイ制御装置。
【請求項２】
前記映像調整データは、前記表示装置の輝度を調整するためのデータと、前記表示装置の色度を調整するためのデータとを含む、
請求項１に記載のディスプレイ制御装置。
【請求項３】
前記演算回路は、前記一の表示装置の周辺に配置されている表示装置内に保存された稼働時間をさらに考慮して前記映像調整データの推定値を求める、
請求項１に記載のディスプレイ制御装置。
【請求項４】
前記制御回路は、前記映像調整データの推定値と、前記新しい表示装置の出荷時の映像調整データとが一致したときは、前記新しい表示装置の表示特性の設定を行わない、
請求項１に記載のディスプレイ制御装置。
【請求項５】
前記映像調整データの推定値と、前記新しい表示装置の出荷時の映像調整データとが一致しないときは、
前記比較回路は、外部サーバーから取得した交換対象の表示装置の映像調整データと、前記映像調整データの推定値とを比較し、
前記制御回路は、前記比較結果に基づき前記新しい表示装置の表示特性の設定を行う、
請求項１に記載のディスプレイ制御装置。
【請求項６】
前記制御回路は、
外部サーバーから取得した交換対象の表示装置の映像調整データと、前記映像調整データの推定値とが一致したときは、前記外部サーバーから取得した映像調整データに基づき前記新しい表示装置の表示特性の設定を行い、
外部サーバーから取得した交換対象の表示装置の映像調整データと、前記映像調整データの推定値とが一致しないときは、前記映像調整データの推定値に基づき前記新しい表示装置の表示特性の設定を行う、
請求項５に記載のディスプレイ制御装置。
【請求項７】
前記複数の表示装置は二次元的に配置された、請求項１に記載のディスプレイ制御装置。
【請求項８】
複数の表示装置と、
前記表示装置の表示特性を調整するディスプレイ制御装置と、を備え、
前記ディスプレイ制御装置は、
前記表示装置から、当該表示装置内に保存されている表示装置の表示特性を調整するための映像調整データを受信する通信回路と、
前記複数の表示装置の中の一の表示装置を新しい表示装置に交換する際に、前記一の表示装置の周辺に配置されている表示装置内に保存された映像調整データに基づき、映像調整データの推定値を求める演算回路と、
前記演算回路により求められた映像調整データの推定値と、前記新しい表示装置の出荷時の映像調整データとを比較する比較回路と、
前記比較結果に基づき前記新しい表示装置の表示特性の設定を行う制御回路と、を含む、
マルチディスプレイシステム。
【請求項９】
複数の表示装置で構成されるマルチディスプレイの表示特性を調整する方法であって、
前記表示装置から、当該表示装置内に保存されている表示装置の表示特性を調整するための映像調整データを受信するステップと、
前記複数の表示装置の中の一の表示装置を新しい表示装置に交換する際に、
前記一の表示装置の周辺に配置されている表示装置から、当該表示装置内に保存された映像調整データを取得するステップと、
前記周辺に配置されている表示装置から取得した映像調整データに基づき、映像調整データの推定値を求めるステップと、
前記映像調整データの推定値と、前記新しい表示装置の出荷時の映像調整データとを比較するステップと、
前記比較結果に基づき、前記新しい表示装置の表示特性の設定を行うステップと、
を含む、
マルチディスプレイの制御方法。
【発明の詳細な説明】
【技術分野】
【０００１】
本開示は、複数の表示装置で構成される画像表示システム（マルチディスプレイシステム）において表示装置の表示特性の調整を行う装置及び方法に関する。
【背景技術】
【０００２】
複数の表示装置で構成される画像表示システム（マルチディスプレイシステム）において、表示特性の異なる複数の表示装置の映像状態を適正に調整する方法として下記技術が開示されている。
【０００３】
特許文献１は、自身が有する光変調素子の負荷特性の変化情報を取得する負荷情報取得装置と、負荷情報と光変調素子特性の変化に基づいて設定される補正パラメータを記憶するパラメータ記憶部と、負荷情報と負荷情報に対応する補正パラメータに基づいて画像信号を変換する画像信号変換部とを有する画像表示装置（プロジェクタ）を開示する。この構成により、長期間の使用において個々の画像表示装置の色特性を適正に保持することを可能としている。
【０００４】
特許文献２には、マスターとスレーブの関係をもつ投射型表示装置において、製造時に測色したマスター装置とスレーブ装置の輝度・色度データを記憶するメモリを有し、マスター装置が通信ケーブルを介してスレーブ装置の輝度・色度データを取得し、マルチ画面表示装置の目標輝度・色度値を演算で求め、演算で求めた目標輝度・色度値をスレーブ装置へ通信ケーブルを介して供給することにより、外部からの映像信号を補正する。これにより、表示特性の異なる複数の投射型表示装置において、表示装置間の輝度・色度の差が少なくなるような自動調整を可能としている。
【先行技術文献】
【特許文献】
【０００５】
【特許文献１】特開２００７−１３３２９８号公報
【特許文献２】特開２００７−１４７８５２号公報
【発明の概要】
【発明が解決しようとする課題】
【０００６】
複数の表示装置を備えたマルチディスプレイシステムでは、各表示装置間の輝度や色度等の特性を均一に調整する必要がある。マルチディスプレイシステムの稼働後に１つの表示装置に不具合または故障が発生し、それを新しい表示装置に交換する場合、新しい表示装置の表示特性を、その周辺に配置される表示装置の表示特性と均一になるよう調整する必要がある。
【０００７】
本開示は、複数の表示装置で構成されるマルチディスプレイにおいて一部の表示装置を新しい表示装置に交換する場合に、新たな表示装置の表示特性の調整を容易に可能にするディスプレイ制御装置を提供する。
【課題を解決するための手段】
【０００８】
本開示の第１の態様において、複数の表示装置で構成されるマルチディスプレイの表示特性を調整するディスプレイ制御装置が提供される。ディスプレイ制御装置は、表示装置から、当該表示装置内に保存されている表示装置の表示特性を調整するための映像調整データを受信する通信回路と、複数の表示装置の中の一の表示装置を新しい表示装置に交換する際に、一の表示装置の周辺に配置されている表示装置内に保存された映像調整データに基づき、映像調整データの推定値を求める演算回路と、演算回路により求められた映像調整データの推定値と、新しい表示装置の出荷時の映像調整データとを比較する比較回路と、比較結果に基づき新しい表示装置の表示特性の設定を行う制御回路と、を備える。
【０００９】
本開示の第２の態様において、複数の表示装置と、表示装置の表示特性を調整するディスプレイ制御装置と、を備えたマルチディスプレイシステムが提供される。ディスプレイ制御装置は、表示装置から、当該表示装置内に保存されている表示装置の表示特性を調整するための映像調整データを受信する通信回路と、複数の表示装置の中の一の表示装置を新しい表示装置に交換する際に、一の表示装置の周辺に配置されている表示装置内に保存された映像調整データに基づき、映像調整データの推定値を求める演算回路と、演算回路により求められた映像調整データの推定値と、新しい表示装置の出荷時の映像調整データとを比較する比較回路と、比較結果に基づき新しい表示装置の表示特性の設定を行う制御回路と、を含む。
【００１０】
本開示の第３の態様において、複数の表示装置で構成されるマルチディスプレイの表示特性を調整する、マルチディスプレイの制御方法が提供される。マルチディスプレイの制御方法は、表示装置から、当該表示装置内に保存されている表示装置の表示特性を調整するための映像調整データを受信するステップと、複数の表示装置の中の一の表示装置を新しい表示装置に交換する際に、一の表示装置の周辺に配置されている表示装置から、当該表示装置内に保存された映像調整データを取得するステップと、周辺に配置されている表示装置から取得した映像調整データに基づき、映像調整データの推定値を求めるステップと、映像調整データの推定値と、新しい表示装置の出荷時の映像調整データとを比較するステップと、比較結果に基づき、新しい表示装置の表示特性の設定を行うステップと、を含む。
【発明の効果】
【００１１】
本開示によれば、複数の表示装置で構成されるマルチディスプレイにおいて一部の表示装置を交換する場合に、特別な追加装置を準備することなく、交換するパネルの映像調整を容易に実施することが可能となる。
【図面の簡単な説明】
【００１２】
【図１】本開示のマルチディスプレイシステムの構成を示すブロック図
【図２】マルチディスプレイにおけるパネル配置を示す図
【図３】色度補正を説明するための図（ＣＩＥ色度図）
【図４】各パネルに設定される映像調整データ（色度）の変化を説明した図
【図５】パネルの輝度の経時的変化（輝度減衰カーブ）を示す図
【図６】各パネルに設定される映像調整データ（輝度）の変化を説明した図
【図７】各パネルに設定される稼働時間の値の変化を説明した図
【図８】ディスプレイ制御装置におけるパネル交換時の映像調整データの設定処理を示すフローチャート
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１４】
（実施の形態１）
［１−１．構成］
以下、本開示の実施の形態について図面を参照しながら説明する。
【００１５】
図１は、本開示の一実施の形態であるマルチディスプレイシステム１００の構成を示す図である。マルチディスプレイシステム１００は、複数の表示パネル（以下「パネル」という）２１ａ〜２１ｅで構成されるマルチディスプレイ２００と、各パネルをネットワーク５００に接続するための通信装置３００と、各パネルの表示特性を調整するディスプレイ制御装置１０と、各パネル２１ａ〜２１ｅのパネル情報（後述）を格納するデータサーバー４００とを含む。
【００１６】
マルチディスプレイ２００は、複数のパネル２１ａ〜２１ｅを組み合わせて１つの表示装置（表示画面）として機能させる。各パネル２１ａ〜２１ｅ、・・・は液晶表示装置である。各パネル２１ａ〜２１ｅ、・・・は、出荷データを記憶する出荷データメモリ４２と、更新データを記憶する更新データメモリ４４と、出荷データメモリ４２や更新データメモリ４４に対してアクセスする制御回路４６とを備える。
【００１７】
出荷データは、出荷時に調整された、パネルの輝度及び色度を調整するためのデータ（以下「映像調整データ」という）を含み、パネルの出荷時に出荷データメモリ４２に保存される。更新データは、パネルの出荷後にマルチディスプレイ２００において他のパネルとの輝度や色調のずれを低減するために調整された映像調整データを含む。更新データはさらに、映像調整データに加えて、パネルの稼働時間、表示モードを含む。映像調整データと、パネルの稼働時間と、表示モードとは、パネル情報を構成する。
【００１８】
図２（Ａ）〜（Ｅ）は、複数のパネルが組み合わされて構成されるマルチディスプレイ２００の一例を示した図である。図２（Ａ）〜（Ｅ）は３行×３列にパネルが配置された９面マルチディスプレイの例を示している
【００１９】
通信装置３００は、各パネルをネットワーク５００に接続するための装置であり、EthernetやRS-232Ｃ等で各パネルと接続する。ネットワーク５００は例えばインターネットやＬＡＮである。
【００２０】
ディスプレイ制御装置１０は、複数のパネルの調整データから交換後の新パネルの目標調整値を求めるパネルデータ演算回路２８と、パネル間の調整データを比較する保存データ比較回路２９と、新パネルの表示特性を調整する交換パネル制御回路３０とを備える。
【００２１】
マルチディスプレイシステム１００は、遠隔でデータを送受信するための閲覧システム（Ｗｅｂ）が接続されたネットワーク５００に接続され、複数のパネル（表示装置）の各種データを保存するデータサーバー４００に接続される。
【００２２】
データサーバー４００は、ＨＤＤやＳＳＤのような記録媒体と、ネットワーク５００と通信するための通信回路とを備える。データサーバー４００は、各パネル２１〜２１ｅ、・・・から、各パネル２１〜２１ｅ、・・・の出荷データと更新データをネットワーク５００を介して取得して保存する。データサーバー４００は、定期的に各パネル２１〜２１ｅ、・・・から更新データ（パネル情報）を取得し、保存する。
【００２３】
［１−２．動作］
以上のように構成されたマルチディスプレイシステム１００について、その動作を以下に説明する。
【００２４】
［１−２−１．パネル情報の保存］
最初に、各パネルの出荷データ及び更新データの保存について説明する。
【００２５】
データサーバー４００は、マルチディスプレイの設置時に、マルチディスプレイを構成する各パネルの出荷データメモリ４２に格納されている出荷データを、ネットワーク５００を介して各パネルから取得し、保存する。この出荷データは、パネル出荷時にパネル毎に調整された輝度、色度に対する調整用データ（映像調整データ）を含む。
【００２６】
その後、マルチディスプレイにおいて複数のパネル間で輝度・色度が均一になるように、各パネル１〜９の輝度、色度が調整される。すなわち、出荷データに含まれる映像調整データが補正（調整）される。調整後の輝度・色度に対する映像調整データは、更新データとして、各パネル１〜９内の更新データメモリ４４に保存される。このとき、各パネルの更新データはデータサーバー４００にも保存される。また、更新データには、映像調整データとともにパネルの稼働時間と表示モードを示す情報が、パネル情報として含まれる。
【００２７】
その後、マルチディスプレイとして稼働中、所定の周期で、各パネル１〜９の輝度の調整値、色度の調整値、稼働時間、及び表示モードを含む更新データが、データサーバー４００及び各パネルの更新データメモリ４４にパネル情報として保存される。
【００２８】
また、９面マルチディスプレイが稼働中に輝度・色度の再調整が行われた場合も、再調整された更新データ（各パネルの輝度、色度、稼働時間、表示モード）が、データサーバー４００及び各パネルの更新データメモリ４４に保存される。
【００２９】
［１−２−２．パネル交換時のパネルの調整］
前述のように、マルチディスプレイシステム１００において出荷データは、各パネル２１ａ、・・・の出荷データメモリ４２に保存される。
【００３０】
複数のパネルで、例えば図２に示すような９面マルチディスプレイを構成する場合、パネル間で輝度や色度に差があり、各パネルの出荷状態のままでは、マルチディスプレイ全体として輝度や色度ムラが生じる場合がある。その場合、パネル９面を均一な輝度や色調にするために、複数の輝度計や撮像素子等の装置を別途準備し、輝度や色度を調整する必要がある。
【００３１】
マルチディスプレイ設置後、９面マルチディスプレイにおいて一部のパネルが故障した場合、故障したパネルを交換する必要が生じる。例えば、中央のパネルが故障した場合、故障したパネルを新パネルに交換する必要がある。しかし、新パネルの出荷状態のままでは、交換される中央のパネルの周辺にあるパネルと輝度や色調が合わない。このため、複数の輝度計や撮像素子等の装置を別途準備し、再調整する必要があった。
【００３２】
本実施形態のマルチディスプレイシステム１００では、マルチディスプレイにおいてパネルを交換する際に、新パネルの表示特性を自動で調整する。以下、この動作について説明する。
【００３３】
なお、以下では、マルチディスプレイシステム１００において、図２に示すように３行×３列の９面マルチディスプレイを構成した例を用いて説明する。以下では、各パネル２１ａ、２１ｂ、・・・は“パネルｎ”（ｎ＝１，２，３，４，・・・９）のように参照する。また、図２に示す９面マルチディスプレイにおいて、中央のパネル５に不具合または故障が発生し、パネル５を新パネルに交換する場合の動作を説明する。
【００３４】
図２を参照し、故障したパネル５を新パネルに交換する場合、新パネルの出荷状態のままでは、その周辺にあるパネル２、パネル４、パネル８、パネル６との間で輝度、色調が合わない場合多く、このため、新パネルの輝度、色調を調整する必要がある。
【００３５】
本実施の形態のマルチディスプレイシステム１００では、交換すべき故障パネル５の周辺のパネル２、パネル４、パネル８、パネル６内に保持されたそれぞれの更新データに含まれる映像調整データ（輝度、色度の調整値）及び稼働時間の情報がディスプレイ制御装置１０に送信される。
【００３６】
ディスプレイ制御装置１０において、パネルデータ演算回路２８は、周辺パネル２、４、８、６の更新データ（映像調整データ、稼働時間）に基づき、故障前にパネル５に保存されていたと考えられる映像調整データ（輝度、色度の調整値）の推定値（以下、推定調整データ）を求める。
【００３７】
次に、ディスプレイ制御装置１０は、新パネルの出荷データを、ネットワーク５００を介して新パネルから取得する。ディスプレイ制御装置１０の保存データ比較回路２９は、周辺パネルの更新データから求めた推定調整データと、新パネルの出荷データに含まれる映像調整データとを比較し、比較結果を交換パネル制御回路３０に出力する。交換パネル制御回路３０は、新パネルとその周辺パネル２、パネル４、パネル８、パネル６との間で輝度、色調が整合するように新パネルの輝度、色度を調整（補正）する。以下、新パネルの輝度、色度の調整（補正）について説明する。
【００３８】
（１）色度調整
図３を用いて、本実施の形態におけるディスプレイ制御装置１０による色度の調整（補正）動作の概要を説明する。図３は、ＣＩＥ色度図上に示したパネル１とパネル２の２つのパネルの色度特性を示している。図３に示すように、パネル１、パネル２は下記の色度特性を有する。
パネル１：Ｒ(x11,y11)，Ｇ(x12,y12)，Ｂ(x13,y13)
パネル２：Ｒ(x21,y21)，Ｇ(x22,y22)，Ｂ(x23,y23)
【００３９】
一般的にホワイトバランスはＲ，Ｇ，Ｂ三原色の比率で決定される。パネル単体でのＲ，Ｇ，Ｂ三原色の色度が異なる場合、出荷時の色度（ｘ，ｙ）が同じであっても、マルチディスプレイとして設置すると、パネル間の色調が合わないケースが発生する。このため、マルチディスプレイとして設置時には、各パネルの色度特性を、出荷状態とは異なる値に変更する必要がある。
【００４０】
例えば、図２に示すパネル５を新パネルに交換する場合、新パネルの色調がその周辺のパネル２，パネル４，パネル８，パネル６と合わない場合は、色度データを再調整する必要がある。
【００４１】
図４は、パネル１〜５（すなわちパネルが配置されたブロック）に設定された色度（色度の調整値）の時間的な変遷を説明した図である。なお、図４では、図２に示す配置において、交換されるパネル５の上側に位置するパネル２の領域をＡブロック、左側に位置するパネル４の領域をＢブロック、下側に位置するパネル８の領域をＣブロック、右側に位置するパネル６の領域をＤブロックと、交換されるパネル５の領域をＥブロックとしている。
【００４２】
図４に示すように、工場出荷時（タイミングＴ０）には、各パネルの色度（色度の調整値）は下記のように調整されている。
Ａブロック（パネル２）の色度＝（ｘ0a，ｙ0a）
Ｂブロック（パネル４）の色度＝（ｘ0b，ｙ0b）
Ｃブロック（パネル８）の色度＝（ｘ0c，ｙ0c）
Ｄブロック（パネル６）の色度＝（ｘ0d，ｙ0d）
Ｅブロック（パネル５）の色度＝（ｘ0e，ｙ0e）
【００４３】
各パネルのＲ，Ｇ，Ｂ三原色の色度が異なる場合、マルチディスプレイとして設置すると、パネル間で色調が揃わない場合がある。このため、マルチディスプレイとして設置する場合に（タイミングＴ１）、各パネルの色度（ｘ，ｙ）の調整が必要となる。
Ａブロック（パネル２）の色度＝（ｘ1a，ｙ1a）
Ｂブロック（パネル４）の色度＝（ｘ1b，ｙ1b）
Ｃブロック（パネル８）の色度＝（ｘ1c，ｙ1c）
Ｄブロック（パネル６）の色度＝（ｘ1d，ｙ1d）
Ｅブロック（パネル５）の色度＝（ｘ1e，ｙ1e）
ここで、調整後の各ブロックの色度（ｘ，ｙ）は以下のようになる。
ｘ1e  ≒  ｘ1a  ≒  ｘ1b ≒  ｘ1c ≒  ｘ1d
ｙ1e  ≒  ｙ1a  ≒  ｙ1b ≒  ｙ1c ≒  ｙ1d
【００４４】
さらに、パネル設置後に時間が経過すると、各パネルが経時変化し、各パネルの特性差により、パネルの色度が異なる場合がある。本実施の形態では、経時変化にともない局所的にパネルの色度補正が必要な場合、演算回路２８で色度補正することが可能である。
【００４５】
例えば、タイミングＴ２において、各ブロック（パネル２、４、８、６）の色度は下記のように補正される。色度の補正値は、各パネルの更新データメモリ４４に保存されるとともに、データサーバー４００にも保存される。
Ａブロック（パネル２）の色度＝（ｘ2a，ｙ2a）
Ｂブロック（パネル４）の色度＝（ｘ2b，ｙ2b）
Ｃブロック（パネル８）の色度＝（ｘ2c，ｙ2c）
Ｄブロック（パネル６）の色度＝（ｘ2d，ｙ2d）
Ｅブロック（パネル５）の色度＝（ｘ2e，ｙ2e）
【００４６】
ここで、パネル設置後、ある時間経過後のタイミングＴ３において、パネル５が故障し、新パネルに交換する場合の例を説明する。
【００４７】
新パネルの出荷時の色度（ｘ0f，ｙ0f）と周辺パネルの色調が一致しているときは、新パネルを調整せず、そのまま取り換え可能である。しかし新パネルの出荷時の色度（ｘ0f，ｙ0f）と周辺パネルの色調が異なる場合、新パネルの色度を交換前の色度（ｘ2e，ｙ2e）に調整する必要がある。
【００４８】
ここで、パネル５は故障しているため、パネル５からパネルデータを読み出すことは不可能である。よって交換前のパネル５のパネルデータ（輝度、色度の調整値）は不明である。このため、パネルデータ演算回路２８は、パネル５の交換前の色度の推定値（ｘ3e，ｙ3e）を、周辺パネルの色度（ｘ3a，ｙ3a）〜（ｘ3d，ｙ3d）から演算して求める。例えば、色度の推定値（ｘ3e，ｙ3e）は、周辺パネルの色度（ｘ3a，ｙ3a）〜（ｘ3d，ｙ3d）を平均して求められる。
Ａブロック（パネル２）の色度＝（ｘ3a，ｙ3a）
Ｂブロック（パネル４）の色度＝（ｘ3b，ｙ3b）
Ｃブロック（パネル８）の色度＝（ｘ3c，ｙ3c）
Ｄブロック（パネル６）の色度＝（ｘ3d，ｙ3d）
Ｅブロック（新パネル）の色度＝（ｘ3e，ｙ3e）
このようにして求めた色度の調整値を用いて新パネルを調整することにより、新パネルの色調を、故障パネル５の交換前の状態と同じ状態に戻すことができる。
【００４９】
（２）輝度補正
時間の経過とともに変化（低下）する輝度の補正に関する動作を説明する。図５は、パネルの輝度の経時的変化を示す輝度減衰カーブを示した図である。一般的にパネルの輝度は、図５に示すように、稼働時間が長くなると低下する傾向（経時変化）を有する。タイミングＴ３でパネル５が故障し、新パネルに交換する場合、タイミングＴ３まで点灯していた周辺パネル２，４，６，８と新パネルの間に輝度差が生じる。このため、新パネルの輝度を調整する必要がある。各パネル及びディスプレイ制御装置１０は、図５に示すような輝度減衰カーブを示す情報を有しており、パネルの稼働時間に基づき経時的な輝度の低下を算出することが可能になっている。
【００５０】
さらに、新パネルと、タイミングＴ３まで点灯していた周辺パネル２，４，６，８とでは稼働時間に差があり、「輝度減衰カーブ」が異なる。このため、パネル交換直後の輝度は同じでも、時間経過にともない、新パネルと周辺パネルとの間に、経時変化に起因する輝度差が生ずるという課題がある。
【００５１】
この課題を解決するため、本実施の形態では新パネルへの交換時に、パネルの輝度レベルを合わせるだけでなく、「稼働時間」と「輝度減衰カーブ」の特性も、周辺パネルと特性を合わせるようにする。
【００５２】
図６と図７は、出荷時からパネル交換時までの各パネル１〜５及び新パネルに対する輝度（輝度の調整値）と稼働時間の変化を説明するための図である。
【００５３】
各パネルの工場出荷時（タイミングＴ０）において、各パネルの輝度（輝度の調整値）Ｙと稼働時間Ｔは下記のように調整されている（図６、図７参照）。
Ａブロック（パネル２）の輝度と稼働時間＝（Ｙ0a、Ｔ0）
Ｂブロック（パネル４）の輝度と稼働時間＝（Ｙ0b、Ｔ0）
Ｃブロック（パネル８）の輝度と稼働時間＝（Ｙ0c、Ｔ0）
Ｄブロック（パネル６）の輝度と稼働時間＝（Ｙ0d、Ｔ0）
Ｅブロック（パネル５）の輝度と稼働時間＝（Ｙ0e、Ｔ0）
【００５４】
各パネルをマルチディスプレイにおいて設置した場合、各パネルの輝度が揃っていない場合がある。その場合、各パネルをマルチディスプレイとして設置するときに、各パネルの輝度及び稼働時間を再調整する必要がある。
【００５５】
例えば、マルチディスプレイとして設置時（タイミングＴ１）に、各パネルの輝度及び稼働時間は下記のように再調整される（図６、図７参照）。
Ａブロック（パネル２）の輝度と稼働時間（Ｙ1a、Ｔ1a）
Ｂブロック（パネル４）の輝度と稼働時間（Ｙ1b、Ｔ1b）
Ｃブロック（パネル８）の輝度と稼働時間（Ｙ1c、Ｔ1c）
Ｄブロック（パネル８）の輝度と稼働時間（Ｙ1d、Ｔ1d）
Ｅブロック（パネル５）の輝度と稼働時間（Ｙ1e、Ｔ1e）
【００５６】
パネル設置後に時間が経過すると、各パネルの特性差により各パネルの輝度が変化する場合がある。本実施の形態では局所的に輝度補正が必要な場合、パネルデータ演算回路２８で補正することが可能である。
【００５７】
例えば、タイミングＴ２において、各ブロック（パネル２、４、８、６）の輝度及び稼働時間は下記のように補正される。輝度及び稼働時間の補正値は、各パネルの更新データメモリ４４に保存されるとともに、データサーバー４００にも保存される。
【００５８】
Ａブロック（パネル２）の輝度と稼働時間＝（Ｙ2a、Ｔ2a）
Ｂブロック（パネル４）の輝度と稼働時間＝（Ｙ2b、Ｔ2b）
Ｃブロック（パネル８）の輝度と稼働時間＝（Ｙ2c、Ｔ2c）
Ｄブロック（パネル６）の輝度と稼働時間＝（Ｙ2d、Ｔ2d）
Ｅブロック（パネル５）の輝度と稼働時間＝（Ｙ2e、Ｔ2e）
【００５９】
パネルの設置後、タイミングＴ３でパネル５が故障し、新パネルに交換する場合の動作を説明する。
【００６０】
パネル５を新パネルに交換したときに、新パネルと、稼働時間（Ｔ３）が経過した周辺パネル２，４，６，８との間で輝度が整合しない場合がある。この課題を解決するため、本実施の形態では新パネルへの交換時において、新パネルの輝度、稼働時間、輝度減衰カーブの設定に関して下記１）〜３）の調整を行う。
【００６１】
１）輝度について
新パネルに設定する輝度の調整値（Ｙ）として、周辺パネルの輝度の中で一番低い輝度に設定する。図６に示す例では、輝度Ｙ3dが輝度Ｙ3a，Ｙ3b，Ｙ3Cの中で最小値であり、この場合、新パネルに設定する輝度の調整値に最小値であるＹ3dを設定する。さらに周辺パネルに対しても、最小値であるＹ3dを設定する。
【００６２】
２）稼働時間について
新パネルに設定する稼働時間（Ｔ）として、周辺パネルの稼働時間の中で最長の稼働時間を設定する。図７に示す例では、稼働時間Ｔ3dが稼働時間Ｔ3a，Ｔ3b，Ｔ3Cの中で最長である場合、新パネルに設定する稼働時間に最長稼働時間であるＴ3dを設定する。さらに周辺パネルに対しても、最長稼働時間であるＴ3dを設定する。
【００６３】
３）輝度減衰カーブについて
新パネルに対する輝度減衰カーブについて、周辺パネルの稼働時間の中で最長の稼働時間から輝度減衰カーブが開始するように、輝度減衰カーブを設定する。例えば、図５において、本実施の形態のような設定を行わない場合、タイミングＴ３で交換された新パネルに対しては、実線Ｘのプロファイルを有する輝度減衰カーブが、破線Ｙで示すようにタイミングＴ３から開始される。これに対して、新パネルに対して、周辺パネルの稼働時間の中で最大の稼働時間から輝度減衰カーブが開始するように輝度減衰カーブを設定することで、新パネルに対して、実線Ｘで示す輝度減衰カーブが適用される。このため、新パネルと周辺パネルとに対して、同様に、時間経過にともなう輝度の補正を実行できる。
【００６４】
以上のような調整により、パネル交換後の各パネルに対する輝度及び稼働時間は以下のように設定される（図６、図７参照）。
Ａブロック（パネル２）の輝度と稼働時間＝（Ｙ3d、Ｔ3d）
Ｂブロック（パネル４）の輝度と稼働時間＝（Ｙ3d、Ｔ3d）
Ｃブロック（パネル８）の輝度と稼働時間＝（Ｙ3d、Ｔ3d）
Ｄブロック（パネル６）の輝度と稼働時間＝（Ｙ3d、Ｔ3d）
Ｅブロック（新パネル）の輝度と稼働時間＝（Ｙ3d、Ｔ3d）
【００６５】
図８のフローチャートを参照し、ディスプレイ制御装置１０によるパネル交換時の新パネルに対する表示特性の調整動作の詳細を説明する。図８は、ディスプレイ制御装置１０における、パネル交換時の新パネルに対する表示特性の調整動作を示すフローチャートである。以下では、図２において、中央のパネル５が故障し、そのパネルを新パネルに交換する場合を例に説明する。
【００６６】
９面マルチディスプレイにおいて、故障パネル５が新パネルに交換することにより新パネルが通信装置３００に接続される。その状態で、ディスプレイ制御装置１０において、保存データ比較回路２９は、ネットワーク５００を介して、新パネルの出荷データメモリ４２から、新パネルの出荷データを取得する（Ｓ１１）。この出荷データは新パネルの出荷時の映像調整データ（輝度、色度の調整値を示すデータ）を含む。
【００６７】
パネルデータ演算回路２８は、ネットワーク５００を介して、故障パネル５の周辺パネル２、４、６、８の更新データメモリ４４から、各パネルの更新データを取得する（Ｓ１２）。パネルデータ演算回路２８は、取得した周辺パネル２、４、６、８の更新データから、故障パネル５の故障前に設定されていたと推定される映像調整データ（映像調整データの推定値）を求める（Ｓ１３）。映像調整データの推定値は、具体的には以下のようにして求められる。
【００６８】
映像調整データにおける色度の調整値に関して、パネルデータ演算回路２８は、周辺パネル２、４、６、８の更新データに含まれる色度の調整値の平均を求め、これをパネル５の故障前に設定されていたと推定される色度の調整値（色度の調整値の推定値）とする。一方、輝度の調整値に関しては、パネルデータ演算回路２８は、周辺パネル２、４、６、８の輝度の調整値の中の最小値を、パネル５の故障時において設定されていたと推定される輝度の調整値（輝度の調整値の推定値）とする。
【００６９】
パネルデータ演算回路２８は、このようにして推定した映像調整データを保存データ比較回路２９に送信する。
【００７０】
保存データ比較回路２９は、新パネルの出荷データに含まれる映像調整データ（色度、輝度の調整値）と、パネルデータ演算回路２８から受信した、推定した映像調整データとを比較する（Ｓ１４）。ここでは、保存データ比較回路２９は、輝度の調整値の差が第１の所定値以内にあり、かつ、色度の調整値の差が第２の所定値以内にある場合に、双方の映像調整データが一致すると判断する。
【００７１】
比較した結果、双方の映像調整データが一致する場合、新パネルは周辺パネルに対して、輝度と色調のずれは小さく、新パネルの表示特性を調整する必要はないと考えられる。よって、新パネルの映像調整データと、推定した映像調整データとが一致する場合（Ｓ１５でＹＥＳ）、交換パネル制御回路３０は、新パネルの映像調整データの調整は行わないが、新パネルの稼働時間及び輝度減衰カーブを設定する（Ｓ２１）。具体的には、新パネルに対する稼働時間は、周辺パネル２、４、６、８の稼働時間の中で最長の稼働時間に設定される。また、新パネルに対して、周辺パネルの稼働時間の中で最長の稼働時間から輝度減衰カーブが開始するように輝度減衰カーブが設定される。その後、新パネルに対する、映像データを含むパネル情報は、データサーバー４００に送られ、データサーバー４００において記録媒体に保存される（Ｓ２０）。
【００７２】
一方、新パネルの映像調整データと、推定した映像調整データとが一致しない場合、新パネルと周辺パネルの間で輝度の色調にずれがあると考えられ、新パネルの輝度、色調を調整する必要があると考えられる。この調整を行うために、新パネルの映像調整データと、推定した映像調整データとが一致しない場合（Ｓ１５でＮＯ）、保存データ比較回路２９は、データサーバー４００から、故障パネル５の更新データを取得する（Ｓ１６）。このとき、データサーバー４００に保存されている故障パネル５の更新データが古い場合、パネル５の経時変化にともなう輝度の低下を考慮する必要がある。このため、データサーバー４００にパネル５の最新の更新データが保存されてから所定時間以上経過している場合、保存データ比較回路２９は、取得した更新データに含まれる映像調整データに対して経時変化を考慮した補正を行う。すなわち、保存データ比較回路２９は、更新データに含まれる稼働時間に基づき、更新データに含まれる輝度の調整値の値を、図５に示すように低下させる。
【００７３】
そして、保存データ比較回路２９は、故障パネル５の更新データに含まれる映像調整データと、ステップＳ１３で推定した映像調整データとを比較する（Ｓ１７）。ここでは、映像調整データに含まれる輝度の調整値と色度の調整値それぞれについて差分を求め、輝度の調整値の差分と色度の調整値の差分がそれぞれの所定値以内にある場合に、故障パネル５の映像調整データと推定した映像調整データとが一致すると判断する。
【００７４】
比較した結果、両者が一致する場合（Ｓ１８でＹＥＳ）、保存データ比較回路２９は、その旨を交換パネル制御回路３０に通知する。交換パネル制御回路３０は、データサーバー４００から取得した故障パネル５の映像調整データ（必要に応じて経時変化による補正がなされた値）に基づいて新パネルの表示特性を調整する（Ｓ１９）。
【００７５】
このとき、新パネルに対する映像調整データ（色度の調整値、輝度の調整値）は、故障パネル５の映像調整データに設定される。また、新パネルに対する稼働時間は、周辺パネル２、４、６、８の稼働時間の中で最長の稼働時間に設定される。また、新パネルに対して、周辺パネルの稼働時間の中で最長の稼働時間から輝度減衰カーブが開始するように輝度減衰カーブが設定される。
【００７６】
一方、故障パネル５の更新データに含まれる映像調整データと、推定した映像調整データとが一致しない場合（Ｓ１８でＮＯ）、交換パネル制御回路３０は、推定した映像調整データを用いて新パネルの表示特性を調整する（Ｓ２２）。
【００７７】
このとき、新パネルに対する色度の調整値は、周辺パネル２、４、６、８の更新データに含まれる色度の調整値の平均値に設定される。また、新パネルに対する輝度の調整値は、周辺パネル２、４、６、８の輝度の調整値の中の最小値に設定される。また、新パネルに対する稼働時間は、周辺パネル２、４、６、８の稼働時間の中で最長の稼働時間に設定される。また、新パネルに対して、周辺パネルの稼働時間の中で最長の稼働時間から輝度減衰カーブが開始するように輝度減衰カーブが設定される。また、輝度の調整値及び稼働時間については、周辺パネル２、４、６、８に対しても同様に、輝度の調整値の最小値、最長の稼働時間が設定される。
【００７８】
その後、新パネルに設定された映像調整データを含むパネル情報がデータサーバー４００に送られ、データサーバー４００において記録媒体に保存される（Ｓ２０）。また、新パネルにて新たに映像調整データが設定されたときには、新パネルの更新データメモリ４４にその映像調整データが格納される。
【００７９】
以上のようにしてパネル交換時において、パネル交換の前後において、マルチディスプレイ全体の表示特性（輝度、色度）においてずれがないように、新パネルにおける輝度、色度（色調）が自動で調整される。
【００８０】
［１−３．効果等］
以上のようにして、本実施の形態のディスプレイ制御装置１０は、複数のパネル（表示装置の一例）２１ａ、２１ｂ、・・・で構成されるマルチディスプレイ２００の表示特性を調整する装置である。ディスプレイ制御装置１０は、パネル２１ａ、２１ｂ、・・・から、当該パネル内に保存されているパネルの表示特性を調整するための映像調整データを受信する通信回路３１と、複数のパネルの中の一のパネルを新しいパネルに交換する際に、一のパネルの周辺に配置されているパネル内に保存された映像調整データに基づき、映像調整データの推定値を求めるパネルデータ演算回路（演算回路の一例）２８と、パネルデータ演算回路２８により求められた映像調整データの推定値と、新しいパネルの出荷時の映像調整データとを比較する保存データ比較回路２９と、その比較結果に基づき新しいパネルの表示特性の設定を行う交換パネル制御回路３０と、を備える。
【００８１】
以上の構成により、パネル交換時に、交換前のパネルの表示特性と同様の特性になるように、交換後の新たなパネルの表示特性が自動で設定される。これにより、特別な追加装置を準備することなく、新パネルの映像調整を容易に実施することが可能となる。
【００８２】
また、映像調整データは、パネルの輝度を調整するためのデータと、パネルの色度を調整するためのデータとを含む。これにより、パネル（表示装置）に対して、表示特性として輝度及び色度を調整できる。
【００８３】
また、パネルデータ演算回路２８は、一のパネルの周辺に配置されているパネル内に保存された稼働時間をさらに考慮して映像調整データの推定値を求める。これにより、稼働時間を用いることにより、パネルの表示特性の経時的変化を考慮した調整が可能となる。
【００８４】
交換パネル制御回路３０は、映像調整データの推定値と、新しいパネルの出荷時の映像調整データとが一致したときは（Ｓ１５でＹＥＳ）、新しいパネルの表示特性の設定を行わない。これにより、新しいパネルの映像調整データ（表示特性）が、交換前の周辺パネルのものと一致する場合には、新しいパネルの映像調整データをそのまま用いることができ、調整のための処理を低減できる。
【００８５】
また、映像調整データの推定値と、新しいパネルの出荷時の映像調整データとが一致しないときは（Ｓ１５でＮＯ）、保存データ比較回路２９は、データサーバー（外部サーバーの一例）４００から取得した交換対象のパネルの映像調整データと、映像調整データの推定値とを比較し（Ｓ１８）、交換パネル制御回路３０は、その比較結果に基づき新しいパネルの表示特性の設定を行う（Ｓ１９、Ｓ２２）。
【００８６】
具体的には、交換パネル制御回路３０は、データサーバー４００から取得した交換対象のパネルの映像調整データと、映像調整データの推定値とが一致したときは（Ｓ１８でＹＥＳ）、データサーバー４００から取得した映像調整データに基づき新しいパネルの表示特性の設定を行う（Ｓ１９）。一方、データサーバー４００から取得した交換対象の表示装置の映像調整データと、映像調整データの推定値とが一致しないときは（Ｓ１８でＮＯ）、映像調整データの推定値に基づき新しいパネルの表示特性の設定を行う（Ｓ２２）。これにより、新しいパネルの映像調整データ（輝度、色度）が交換対象のパネルの映像調整データと一致するときは、交換対象のパネルの映像調整データを使用し、そうでない場合に、周辺パネルの特性から求めた映像調整データを用いることができる。
【００８７】
また、本実施形態は、複数のパネル（表示装置）で構成されるマルチディスプレイ２００の表示特性を調整する方法（マルチディスプレイの制御方法）を開示する。その方法は、パネルから、当該パネル内に保存されているパネルの表示特性を調整するための映像調整データを受信するステップと、複数のパネルの中の一のパネルを新しいパネルに交換する際に、一のパネルの周辺に配置されているパネルから、当該パネル内に保存された映像調整データを取得するステップ（Ｓ１２）と、周辺に配置されているパネルから取得した映像調整データに基づき、映像調整データの推定値を求めるステップ（１３）と、映像調整データの推定値と、新しいパネルの出荷時の映像調整データとを比較するステップ（Ｓ１４、Ｓ１５）と、その比較結果に基づき、新しいパネルの表示特性の設定を行うステップ（Ｓ１９、Ｓ２１、Ｓ２２）と、を含む。この構成により、パネル交換時に、交換前のパネルの表示特性と同様の特性になるように、交換後の新たなパネルの表示特性を自動で設定することができる。
【００８８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００８９】
上記の実施の形態では、表示装置の例として液晶表示装置を示したが、表示装置は、これに限定されず、有機ＥＬディスプレイのような他の表示デバイスでもよい。
【００９０】
上記の実施の形態では、マルチディスプレイ２００の構成を一例として図２に示すようなパネルを３行３列に配置した構成を示した。しかし、マルチディスプレイ２００の構成はこれに限定されない。マルチディスプレイ２００は、複数のパネルを任意のレイアウトで配置して構成してもよい。
【００９１】
ディスプレイ制御装置１０において、パネル演算データ２８、保存データ比較回路２９及び交換パネル制御回路３０は、１つまたは複数の半導体デバイスで実現できる。半導体デバイスの機能は、ハードウェアとソフトウェア（アプリケーションプログラム）の協働により実現してもよいし、所定の機能を実現するように専用に設計されたハードウェア回路のみで実現してもよい。すなわち、半導体デバイスは、ＣＰＵ、ＭＰＵ、ＤＳＰ、ＦＰＧＡ、ＡＳＩＣ等で構成することができる。
【００９２】
以上のように、本開示における技術の例示として、実施の形態を説明した。そのために、添付図面および詳細な説明を提供した。
【００９３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９４】
また、上述の実施の形態は、本開示における技術を例示するためのものであるから、特許請求の範囲またはその均等の範囲において種々の変更、置き換え、付加、省略などを行うことができる。
【産業上の利用可能性】
【００９５】
本開示のディスプレイ制御装置等は、複数の表示装置を組み合わせて１つの表示装置として機能させるマルチディスプレイシステムに対して適用できる。
【符号の説明】
【００９６】
２１ａ〜２１ｅ  表示パネル
２８  パネルデータ演算回路
２９  保存データ比較回路
３０  交換パネル制御回路
３１  通信回路
４２  出荷データメモリ
４４  更新データメモリ
４６  制御回路
１００  ディスプレイ制御装置
２００  マルチディスプレイ
３００  通信装置
４００  データサーバー
５００  ネットワーク
【図１】
2018036451.tif 000003
【図２】
2018036451.tif 000004
【図３】
2018036451.tif 000005
【図４】
2018036451.tif 000006
【図５】
2018036451.tif 000007
【図６】
2018036451.tif 000008
【図７】
2018036451.tif 000009
【図８】
2018036451.tif 000010